【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
画像データの入力画素領域に含まれる画素の画素値を取得して、当該画素値を画像処理手段へ入力し、画像処理を施された後の画素値を前記画像処理手段から取得して出力画素領域の画素の画素値として出力するデータ処理装置であって、
前記入力画素領域のデータと、前記出力画素領域のデータとを一時的に記憶する記憶手段と、
前記入力画素領域の画素数と、前記出力画素領域の画素数とに基づいて、前記入力画素領域のデータを記憶する前記記憶手段の入力領域の大きさと、前記出力画素領域のデータを記憶する前記記憶手段の出力領域の大きさとを設定する設定手段と、
を有することを特徴とするデータ処理装置。
【請求項２】
前記設定手段は、前記画像処理手段で実行する処理が変更された場合に、前記入力画素領域の画素数と前記出力画素領域の画素数との変化に基づいて、前記入力領域の大きさと前記出力領域の大きさとを変更する、
ことを特徴とする請求項１に記載のデータ処理装置。
【請求項３】
前記設定手段は、前記入力画素領域の一辺の画素数と、前記出力画素領域の一辺の画素数とに基づいて、前記入力領域と前記出力領域の大きさとを設定する、
ことを特徴とする請求項１又は２に記載のデータ処理装置。
【請求項４】
前記入力画素領域は、前記画像データを主走査方向または副走査方向のいずれかにおいて分割して得られる領域の一部または全部の領域の画素値を有するデータであり、
前記入力画素領域の一辺は前記画素領域における前記画像データが分割された側の一辺であり、前記出力画素領域の一辺は画像処理を施した後の画素領域における前記分割された側の一辺に対応する辺である、
ことを特徴とする請求項３に記載のデータ処理装置。
【請求項５】
前記データ処理装置は、１つ以上の入力画素領域に含まれる画素値をそれぞれ前記画像処理手段へ入力し、画像処理を施された後の画素値を前記画像処理手段から取得して１つ以上の出力画素領域の画素値としてそれぞれ出力し、
前記設定手段は、前記１つ以上の入力画素領域の数と、前記１つ以上の出力画素領域の数とに基づいて、前記入力領域と前記出力領域の大きさとを設定することを特徴とする請求項１から４のいずれか１項に記載のデータ処理装置。
【請求項６】
前記設定手段は、前記入力画素領域の数に応じた数の前記入力領域を設定し、前記出力画素領域の数に応じた数の前記出力領域を設定する、
ことを特徴とする請求項５に記載のデータ処理装置。
【請求項７】
前記設定手段は、前記入力画素領域の画素数と、前記出力画素領域の画素数との比に基づいて前記入力領域の大きさと前記出力領域の大きさとを設定する、
ことを特徴とする請求項１から６のいずれか１項に記載のデータ処理装置。
【請求項８】
前記設定手段は、前記記憶手段の前記入力領域と前記出力領域の大きさに基づいて、その入力領域と出力領域との前記記憶手段における先頭アドレスを設定することにより、前記入力領域と前記出力領域とを設定する、
ことを特徴とする請求項１から７のいずれか１項に記載のデータ処理装置。
【請求項９】
前記記憶手段は複数のバンクを有し、
前記設定手段は、その複数のバンクに対して共通の前記先頭アドレスを、前記記憶手段の前記入力領域と前記出力領域とについてそれぞれ設定する、
ことを特徴とする請求項８に記載のデータ処理装置。
【請求項１０】
前記入力画素領域は、前記画像データを前記記憶手段の前記入力領域の大きさに基づいて分割して得られる１つ以上の画素値を含む領域である、
ことを特徴とする請求項１から９のいずれか１項に記載のデータ処理装置。
【請求項１１】
第１記憶手段が保持している入力画像を第１方向について複数の短冊状に分割した部分画像を処理するデータ処理装置であって、
前記部分画像単位で画像処理を実施する画像処理手段と、
前記画像処理手段に入力する入力部分画像を第１領域に記憶し、前記入力部分画像について前記画像処理手段により画像処理を実施された出力部分画像を第２領域に記憶する第２記憶手段と、
前記入力部分画像の前記第１方向についての第１画素数と、前記出力部分画像の前記第１方向についての第２画素数と、に基づいて、前記第２記憶手段の第１領域と第２領域の大きさを設定する設定手段と、
を有することを特徴とするデータ処理装置。
【請求項１２】
前記画像処理手段による画像処理の実施前に、前記設定手段が、前記画像処理手段の出力として必要とされる第２画素数を取得し
当該第２画素数から前記画像処理の内容に基づいて前記第１画素数を取得する、
ことを特徴とする請求項１１に記載のデータ処理装置。
【請求項１３】
前記設定手段は、画像処理に関わる複数のタスク毎に前記第１領域と前記第２領域とを設定する、
ことを特徴とする請求項１１に記載のデータ処理装置。
【請求項１４】
前記第１記憶手段はＤＲＡＭであって、前記第２記憶手段はＳＲＡＭであり、
前記ＤＲＡＭから前記ＳＲＡＭへのデータ転送を実行する第１ＤＭＡＣと、
前記ＳＲＡＭから前記ＤＲＡＭへのデータ転送を実行する第２ＤＭＡＣと、
をさらに有することを特徴とする請求項１１に記載のデータ処理装置。
【請求項１５】
前記ＳＲＡＭは複数のバンクを有し、前記設定手段は複数のバンクのそれぞれについて、前記第１領域と前記第２領域とを同様に割り当てる、
ことを特徴とする請求項１４に記載のデータ処理装置。
【請求項１６】
画像データの入力画素領域に含まれる画素の画素値を取得して、当該画素値を画像処理手段へ入力し、画像処理を施された後の画素値を前記画像処理手段から取得して出力画素領域の画素の画素値として出力し、前記入力画素領域のデータと、前記出力画素領域のデータとを一時的に記憶する記憶手段を有するデータ処理装置におけるデータ処理方法であって、
設定手段が、前記入力画素領域の画素数と、前記出力画素領域の画素数とに基づいて、前記入力画素領域のデータを記憶する前記記憶手段の入力領域の大きさと、前記出力画素領域のデータを記憶する前記記憶手段の出力領域の大きさとを設定する設定工程を有する、
ことを特徴とする処理方法。
【請求項１７】
第１記憶手段が保持している入力画像を第１方向について複数の短冊状に分割した部分画像を処理するデータ処理装置の制御方法であって、
前記データ処理装置は前記部分画像単位で画像処理を実施する画像処理手段と、前記画像処理手段に入力する入力部分画像を第１領域に記憶し、前記入力部分画像について前記画像処理手段により画像処理を実施された出力部分画像を第２領域に記憶する第２記憶手段と、を有し、
前記制御方法は、
設定手段が、前記入力部分画像の前記第１方向についての第１画素数と、前記出力部分画像の前記第１方向についての第２画素数と、に基づいて、前記第２記憶手段の第１領域と第２領域の大きさを設定する設定工程を有する、
ことを特徴とするデータ処理装置。
【請求項１８】
コンピュータを請求項１から１５のいずれか１項に記載のデータ処理装置が備える各手段として機能させるためのプログラム。
【手続補正２】
【補正対象書類名】明細書
【補正対象項目名】００１８
【補正方法】変更
【補正の内容】
【００１８】
上記目的を達成するため、本発明によるデータ処理装置は、画像データの入力画素領域に含まれる画素の画素値を取得して、当該画素値を画像処理手段へ入力し、画像処理を施された後の画素値を前記画像処理手段から取得して出力画素領域の画素の画素値として出力するデータ処理装置であって、前記入力画素領域のデータと、前記出力画素領域のデータとを一時的に記憶する記憶手段と、前記入力画素領域の画素数と、前記出力画素領域の画素数とに基づいて、前記入力画素領域のデータを記憶する前記記憶手段の入力領域の大きさと、前記出力画素領域のデータを記憶する前記記憶手段の出力領域の大きさとを設定する設定手段と、を有することを特徴とする。